(57)【要約】【課題】部品点数を削減してコストダウンすることができるとともに、組み立て工数を削減することができる蓋開閉装置を提供するものである。【解決手段】一端がシャフト１８によって電子機器本体に支持され、開口部１４を開閉自在に配されている蓋体３１と、電子機器本体側に配され蓋体３１を開く方向へ付勢する第１及び第２のコイルバネ部３２ａ及び２１ｂと、蓋体３１の軸径方向に延設されているクリック軸３２ｃとを備えた付勢部材３２と、蓋体３１の内面に形成され蓋体３１が閉口位置からスライドする際にクリック軸３２ｃが摺動されるリブ３１ｄとを備え、リブ３１ｄは、蓋体３１が閉口位置からスライドする際に、第１及び第２のコイルバネ部３２ａ及び３２ｂが弾性変形するよう、クリック軸３２ｃを摺動させる第１の傾斜部３１ｅ及び第２の傾斜部３１ｆが形成されている。【選択図】図４
2007173473.tif 000002
【特許請求の範囲】
【請求項１】
電子機器本体に形成されている開口部を、開口または閉口させる蓋開閉装置であって、
一端がシャフトによって前記電子機器本体に支持され、前記開口部を閉口している第１の位置と、前記蓋体が前記第１の位置から前記シャフトの軸径方向へ移動された第２の位置と、前記蓋体が前記第２の位置から前記シャフトの軸周りに回動され前記開口部を開口している第３の位置とに移動自在に配されている蓋体と、
前記電子機器本体側に配され、前記蓋体を開く方向へ付勢する弾性部材と、前記弾性部材から前記蓋体の軸径方向に延設されているクリック軸とを備えた付勢部材と、
前記蓋体の内面に形成され、前記蓋体が第１の位置と第２の位置との間を移動する際に前記クリック軸が摺動される摺動部とを備え、
前記摺動部は、前記蓋体が第１の位置と第２の位置との間を移動する際に、前記弾性部材が弾性変形するよう前記クリック軸を摺動させる第１の突起部が形成されていることを特徴とする蓋開閉装置。
【請求項２】
前記第１の突起部は、前記蓋体が第１の位置にある時に前記クリック軸が当接または近接している第１の傾斜部と、前記蓋体が第２の位置にある時に前記クリック軸が当接または近接している第２の傾斜部とを備え、
前記第１の傾斜部と前記第２の傾斜部とは、傾斜方向が互いに対向して形成され、
前記クリック軸が前記第１の傾斜部と前記第２の傾斜部との間を移動する際に、前記弾性部材が弾性変形される請求項１記載の蓋開閉装置。
【請求項３】
前記第１の傾斜部の傾斜角を、前記第２の傾斜部の傾斜角よりも、大きくした請求項２記載の蓋開閉装置。
【請求項４】
前記弾性部材は、コイルバネで構成され、
前記付勢部材は、前記コイルバネに前記シャフトが挿通されて、前記シャフトに支持されている請求項１記載の蓋開閉装置。
【請求項５】
付勢部材は、１本の線材で構成されている請求項４記載の蓋開閉装置。
【請求項６】
前記摺動部において前記シャフトの外周面に対向する部位には、第２の突起部が形成されている請求項１記載の蓋開閉装置。
【請求項７】
前記第２の突起部は、前記蓋体が第１の位置にある時に前記シャフトが当接または近接している第３の傾斜部と、前記蓋体が第２の位置にある時に前記シャフトが当接または近接している第４の傾斜部とを備え、
前記第３の傾斜部と前記第４の傾斜部とは、傾斜方向が互いに対向している請求項６記載の蓋開閉装置。
【発明の詳細な説明】
【技術分野】
【０００１】
本発明は、各種電子機器に搭載される蓋機構を開閉する蓋開閉装置に関する。
【背景技術】
【０００２】
近年、ＡＶ機器などの各種電子機器には、バッテリーや情報媒体などを機器内へ装着させるためのスロットが搭載されているものが多い。例えば、特許文献１には、カメラ内部にバッテリーを装着可能なスロットと、メモリーカードなどの情報媒体を装着可能なスロットとを近接して配置させ、両方のスロットを覆い隠す蓋装置が搭載されている。このように、バッテリーや情報媒体が装着されるスロットを覆い隠す構成にすることで、スロットへ異物が侵入するのを防いだり、機器動作中に誤ってバッテリーや情報媒体を離脱してしまうことを防いだりすることができる。
【０００３】
以下、従来の蓋開閉装置について説明する。
【０００４】
図８〜図１０は、蓋開閉装置が搭載されている電子機器の外観構成を示す斜視図であり、本説明では電子機器の一例として、図示のようなビデオカメラを採用した。
【０００５】
図８〜図１０において、本体１１には、信号処理回路や、磁気テープやディスクなどの情報媒体を駆動する駆動機構などが内蔵されている。また、本体１１には、ビデオカメラの主要部品であるレンズ部１２が搭載されている。なお、説明の便宜上、家庭用ビデオカメラに一般的に搭載されている構成については装備されているものとして、詳細な説明は割愛する。
【０００６】
本体１１の底面１１ａには、蓋体１３が開閉自在に配されている。図８は蓋体１３が閉じた状態、図９は蓋体１３を引き出した状態、図１０は蓋体１３を回動し開いた状態を示している。蓋体１３を図８に示すように閉じた状態にしておくことで、本体１１内部に異物が侵入するのを防いだり、本体１１の動作中に誤ってバッテリーや情報媒体を取り出してしまうことを防止することができる。また、蓋体１３を、図８に示すように閉じた状態から、図１０に示すように開いた状態へ移行させる場合は、蓋体１３の端部近傍に設けられた操作部１３ａを、指で押圧して蓋体１３をスライドさせることで、開くことができる。なお、操作部１３ａには、ユーザーが指で押圧しやすいように、小さな突起が複数形成されている。なお、蓋体１３の具体的構成や動作については後述する。
【０００７】
図１１は、蓋体１３が開いた状態における要部斜視図である。図１１において、開口部１４は、蓋体１３によって覆われる位置に配され、内部にバッテリーやメモリーカードなどを着脱させることができる。なお、本説明ではメモリーカードを着脱可能なスロットを搭載し、開口部１４を介してメモリーカードを着脱させることができる構成を例に挙げている。
【０００８】
クリックバネ１５は、蓋体１３の内面に、位置決めピン１７及び位置決め孔１５ａによって位置決めされて、ネジ１６によって固定されている。クリックバネ１５には、同一方向に突出した２本の板バネ部１５ｂが一体的に設けられ、平面方向に弾性変形自在に構成されている。また、板バネ部１５ｂの先端近傍には、下方向に突出した突部１５ｃが形成されている。
【０００９】
シャフト１８は、蓋体１３を回動自在に支持しており、その両端は本体１１のガイド孔２１（図１３参照）に支持されている。また、シャフト１８は、クリックバネ１５の突部１５ｃが乗り越えられるとともに板バネ部１５ｂの弾性力によって、蓋体１３をスライドさせた時にクリック感を発生させている。
【００１０】
開閉バネ１９は、ねじりコイルバネで構成され、そのコイル部分にはシャフト１８が挿通される。また、開閉バネ１９のコイルの両端は、各々異なる方向へ突出しており、突出した第１の軸１９ａは蓋体１３に支持され、第２の軸１９ｂは本体１１の孔部２０に係合されている。これにより、開閉バネ１９は、蓋体１３を開く方向へバネ付勢させている。
【００１１】
蓋体１３の両側面には、シャフト１８が挿通されるガイド孔１３ｃ（図１２及び１３参照）が形成されている。ガイド孔１３ｃは、蓋体１３のスライド方向（図８の矢印Ａ方向）に平行な長孔で構成され、シャフト１８に支持されていることにより、蓋体１３がスライドする方向にガイドしている。
【００１２】
開口部１４の近傍には凹部２２（図１２参照）が形成され、蓋体１３のリブ１３ｂ（図１２参照）が挿脱可能である。凹部２２にリブ１３ｂを挿入させることで、蓋体１３を閉じた状態で保持させることができる。
【００１３】
以下、動作について説明する。
【００１４】
図１２Ａ〜図１２Ｃは、蓋体１３の開閉動作を説明するための断面図である。図１２Ａは蓋体１３が閉じた状態であり、図８の状態における図８に示したＺ−Ｚ部の断面矢視図である。図１２Ｂは蓋体１３を図１２Ａの状態からスライドさせた状態であり、図９の状態におけるＺ−Ｚ部（図８参照）の断面矢視図である。図１２Ｃは蓋体１３が開いた状態であり、図１０の状態におけるＺ−Ｚ部（図８参照）の断面矢視図である。
【００１５】
まず、図８に示すように蓋体１３が閉じた状態では、図１２Ａに示すように、蓋体１３のリブ１３ｂが凹部２２に挿入されて嵌合されている。これにより、蓋体１３は、閉じた状態を維持することができる。また、クリックバネ１５の突部１５ｃが、ネジ１７側の斜面に当接あるいは近接している状態にあり、蓋体１３が矢印Ａ方向へ自由にスライドするのを規制している。
【００１６】
蓋体１３を、図８に示す状態から図１０に示す開いた状態へ移行させる際は、まず、図８または図１２Ａにおいて蓋体１３を矢印Ａ方向へ押圧させる。蓋体１３は、両側面に形成されているガイド孔１３ｃに挿通されているシャフト１８がガイド孔１３ｃ中を移動することによって、底面１１ａに対して略平行方向にスライドさせ引き出される。蓋体１３が矢印Ａ方向にスライドする際、クリックバネ１５の突部１５ｃのネジ側斜面が、シャフト１８によって押圧され、図１２Ａの矢印Ｅ方向へ弾性変形する。さらに、蓋体１３を矢印Ａ方向へスライドさせると、突部１５ｃはシャフト１８を乗り越え、図１２Ｂに示す状態になる。図１２Ｂに示す位置まで到達させると、シャフト１８が突部１５ｃの先端側斜面に当接あるいは近接する状態になる。前記のように、突部１５ｃがシャフト１８を乗り越える際に、蓋体１３にクリック感が発生する。なお、図１２Ｂに示す状態では、リブ１３ｂと凹部２２との嵌合が外れ、蓋体１３はシャフト１８を中心に回動自在な状態になる。
【００１７】
次に、蓋体１３が図１２Ｂに示す状態になると、開閉バネ１９（図１３参照）によって蓋体１３が開く方向にバネ力が付勢され、蓋体１３はシャフト１８を中心に矢印Ｂ方向へ回動される。回動後の状態を、図１０及び図１２Ｃに示す。この状態では、開口部１４が露出した状態になり、メモリーカードを開口部１４を介してスロットに着脱させることができる。
【００１８】
次に、図１０及び図１２Ｃに示すように蓋体１３が開いた状態から閉じる場合は、前述の開蓋動作の逆手順であるため、説明は省略する。
【００１９】
次に、従来の蓋開閉装置の組み立て方法について、簡単に説明する。
【００２０】
図１３は、蓋開閉装置の分解斜視図である。図１３において蓋開閉装置を組み立てる際は、まず、シャフト１８を本体１１の内側から、片方の孔部２１、蓋体１３の片方のガイド孔１３ｃの順に挿通させる。次に、ガイド孔１３ｃを挿通したシャフト１８に、開閉バネ１９のコイル部分を挿通させる。次に、シャフト１８を、蓋体１３のもう一方のガイド孔１３ｃと、本体１１のもう一方の孔部２１に挿通支持させる。次に、クリックバネ１５の位置決め孔１５ａに位置決めピン１７を係合させて、クリックバネ１５の位置決めを行う。次に、ネジ１６でクリックバネ１５を蓋体１３に固定させる。
【特許文献１】特開２００４−１４６６１８号公報
【発明の開示】
【発明が解決しようとする課題】
【００２１】
しかしながら上記従来の構成では、蓋体１３を開く際にバネ付勢するための開閉バネ１９と、蓋体１３をスライドさせる際にクリック感を発生させるためのクリックバネ１５とを搭載しないといけないため、部品点数が多く、コストアップにつながるという問題点があった。
【００２２】
また、従来の蓋開閉装置を組み立てる際、開閉バネ１９をシャフト１８に支持させる工程と、クリックバネ１５を蓋体１３にネジ１６で固定させる工程とが、各々独立して必要となるため、組み立て工数を削減することができなかった。
【００２３】
本発明は、上記問題点に鑑み、部品点数を削減してコストダウンすることができるとともに、組み立て工数を削減することができる蓋開閉装置を提供することを目的とする。
【課題を解決するための手段】
【００２４】
上記課題を解決するために本発明の蓋開閉装置は、電子機器本体に形成されている開口部を、開口または閉口させる蓋開閉装置であって、一端がシャフトによって前記電子機器本体に支持され、前記開口部を閉口している第１の位置と、前記蓋体が前記第１の位置から前記シャフトの軸径方向へ移動された第２の位置と、前記蓋体が前記第２の位置から前記シャフトの軸周りに回動され前記開口部を開口している第３の位置とに移動自在に配されている蓋体と、前記電子機器本体側に配され、前記蓋体を開く方向へ付勢する弾性部材と、前記弾性部材から前記蓋体の軸径方向に延設されているクリック軸とを備えた付勢部材と、前記蓋体の内面に形成され、前記蓋体が第１の位置と第２の位置との間を移動する際に前記クリック軸が摺動される摺動部とを備え、前記摺動部は、前記蓋体が第１の位置と第２の位置との間を移動する際に、前記弾性部材が弾性変形するよう前記クリック軸を摺動させる突起部が形成されている。
【発明の効果】
【００２５】
本発明の蓋開閉装置によれば、部品点数を削減し、コストダウンすることができる。また、蓋開閉装置の組み立て工数を削減することができる。
【発明を実施するための最良の形態】
【００２６】
本発明の蓋開閉装置は、前記突起部は、前記蓋体が第１の位置にある時に前記クリック軸が当接または近接している第１の傾斜部と、前記蓋体が第２の位置にある時に前記クリック軸が当接または近接している第２の傾斜部とを備え、前記第１の傾斜部と前記第２の傾斜部とは、傾斜方向が互いに対向して形成され、前記クリック軸が前記第１の傾斜部と前記第２の傾斜部との間を移動する際に、前記弾性部材が弾性変形される構成としてもよい。このような構成により、蓋体を第１の位置から第２の位置へ移動させる際に、クリック感を発生させることができる。
【００２７】
また、前記第１の傾斜部の傾斜角を、前記第２の傾斜部の傾斜角よりも、大きくした構成としてもよい。このような構成により、閉口状態である蓋体が、不意に開かないようにすることができる。また、軽い押圧力で閉口させることができる。
【００２８】
また、前記弾性部材は、コイルバネで構成され、前記付勢部材は、前記コイルバネに前記シャフトが挿通されて、前記シャフトに支持されている構成としてもよい。
【００２９】
また、付勢部材は、１本の線材で構成されている構成としてもよい。このような構成により、部品点数を削減することができ、コストダウンすることができる。
【００３０】
また、前記摺動部において前記シャフトの外周面に対向する部位には、第２の突起部が形成されている構成としてもよい。このような構成により、蓋体が第１の位置にある時に、蓋体におけるガタツキを低減させることができる。
【００３１】
また、前記第２の突起部は、前記蓋体が第１の位置にある時に前記シャフトが当接または近接している第３の傾斜部と、前記蓋体が第２の位置にある時に前記シャフトが当接または近接している第４の傾斜部とを備え、前記第３の傾斜部と前記第４の傾斜部とは、傾斜方向が互いに対向している構成としてもよい。このような構成により、蓋体が第１の位置にある時に、蓋体におけるガタツキを低減させることができる。
【００３２】
（実施の形態１）
図１〜図３は、蓋開閉装置が搭載されている電子機器の外観構成を示す斜視図であり、本実施の形態では電子機器の一例として、図示のようなビデオカメラを採用した。
【００３３】
図１〜図３において、前述の背景技術と同様の構成要素については、同一番号を付与して詳細説明は省略する。
【００３４】
本体１１の底面１１ａには、蓋体３１が開閉自在に配されている。図１は蓋体３１が閉じた状態（第１の位置）、図２は蓋体３１を引き出した状態（第２の位置）、図３は蓋体３１を開いた状態（第３の位置）を示している。蓋体３１を図１に示すように閉じた状態にしておくことで、本体１１内部に異物が侵入するのを防いだり、本体１１の動作中に誤ってバッテリーや情報媒体を取り出してしまうことを防止することができる。
【００３５】
蓋体３１は、操作部３１ａと、図４に示すリブ３１ｂと、ガイド孔３１ｃと、リブ３１ｄと、第１の傾斜部３１ｅと、第２の傾斜部３１ｆと、図５Ａ及びＣに示す当接部３１ｇとを備えている。
【００３６】
操作部３１ａは、蓋体３１の表面に形成された微小突起である。操作部３１ａを設けることで、操作部３１ａに使用者の指を当てて蓋体３１を図１に示す閉じた状態から図２に示す蓋体３１を底面１１aに対して略平行に矢印Ａ方向に引き出した状態へスライドさせる際に、指が滑りにくく、蓋体３１を容易にスライド操作することができる。
【００３７】
リブ３１ｂは、蓋体３１の先端の長手方向に形成され、蓋体３１が閉じた時に、本体１１の凹部２２に嵌合される部位である。リブ３１ｂと凹部２２とが嵌合することで、蓋体３１が付勢部材３２の弾性力によって開くことはない。
【００３８】
ガイド孔３１ｃは、蓋体３１の両側面に形成され、シャフト１８が挿通される長孔である。ガイド孔３１ｃは、蓋体３１のスライド方向（図１の矢印Ａ方向）に平行に延びた長孔で構成され、シャフト１８を支持することにより、シャフト１８が蓋体３１の回動軸を構成しているとともに、蓋体３１をスライド方向にガイドしている。
【００３９】
リブ３１ｄ（摺動部）は、蓋体３１の内面に立設され、付勢部材３２のクリック軸３２ｃと当接してコイルバネ部３２ａ及び３２ｂによる弾性力を受けている。また、蓋体３２のスライド時には、クリック軸３２ｃとの間でクリック感を発生させている。なお、本実施の形態では、リブ３１ｄは３本の突起で構成されているが、この個数に限定されるものではない。また、リブ３１ｄは、シャフト１８から離間した側の先端には、第１の傾斜部３２ｆ及び第２の傾斜部３２ｅで構成される第１の突起部が形成されている。また、リブ３１ｄのシャフト１８側の端部は、シャフト１８を支持しており、支持している部分は平坦でもよいが、第１の突起よりも高さが低い第２の突起を形成することで、シャフト１８と第２の突起とが当接することで蓋体３１をスライドさせる際に負荷を発生させることができる。負荷を発生させることで、蓋体３１が簡単に開かないように構成したり、簡単に閉じることができるように構成することも可能である。なお、第２の突起の機能については、後ほど詳しく説明する。
【００４０】
第１の傾斜部３１ｆは、リブ３１ｄの端部に形成され、蓋体３１をスライド動作させる際に、クリック軸３２ｃが摺動し、第１の突起の頂上をクリック軸３２ｃが乗り越え第２の傾斜部３１ｅを摺動する際に蓋体３１にクリック感を発生させている。蓋体３１が図１に示すように閉じた状態の時は、クリック軸３２ｃが第１の傾斜部３１ｆに当接し、蓋体３１が開く方向への移動を規制している。また、蓋体３１が図３に示すように開いた状態の時は、クリック軸３２ｃが第２の傾斜部３１ｅに当接し、蓋体３１が閉じる方向に対して負荷を与えている。なお、第１の傾斜部３１ｆと第２の傾斜部３１ｅとは、互いに同じ角度で構成してもよいが、互いに角度を異ならせてもよい。第１の傾斜部３１ｆ及び第２の傾斜部３１ｅの傾斜角については、後ほど詳しく説明する。
【００４１】
当接部３１ｇは、蓋体３１の後端（本体１１側の端部）に形成され、蓋体３１が図３に示すように開いた状態の時に、本体１１の突部２３（図５Ｂ及び図５Ｃ参照）に当接し、蓋体３１の回動角度を規制している。
【００４２】
図４は、蓋体３１が開いた状態における要部斜視図である。図４において、開口部１４は、蓋体３１によって覆われる位置に配され、内部にバッテリーやメモリーカードなどを着脱させることができる。なお、本説明ではメモリーカードを着脱可能なスロットを搭載し、開口部１４を介してメモリーカードを着脱させることができる例を挙げる。
【００４３】
図４において、付勢部材３２は、第１のコイルバネ部３２ａと、第２のコイルバネ部３２ｂと、クリック軸３２ｃと、第１の軸３２ｄと、第２の軸３２ｅ（図６参照）とから構成され、各部材が一体的に形成されている。
【００４４】
第１のコイルバネ部３２ａ及び第２のコイルバネ部３２ｂは、互いに同軸になるように配され、クリック軸３２ｃに対して、蓋体３１が常時開く方向へ付勢されるように、弾性力が付与されている。
【００４５】
クリック軸３２ｃは、第１のコイルバネ部３２ａ及び第２のコイルバネ部３２ｂから連続して形成され、略「コ」の字形状を成している。クリック軸３２ｃの先端は、シャフト１８に対して略平行に形成され、リブ３１ｄに当接あるいは近接配置されている。後述するが、蓋体３１が図１の状態から図２の状態にスライド動作した際に、クリック軸３２ｃの先端は、リブ３１ｄの第１の傾斜部３１ｆと当該第１の傾斜部３１ｆの傾斜方向が対抗する第２の傾斜部３１ｅとの間で形成される第１の突起を乗り越え、乗り越える際の負荷がクリック軸３２ｃに弾性変形を付与し、この弾性変形から復元することによってクリック感を生じさせている。
【００４６】
第１の軸３２ｄ及び第２の軸３２ｅは、第１及び第２のコイルバネ部３２ａ及び３２ｂの各々の端部から、外方（本実施の形態では、コイルバネ部においてクリック軸３２ｃが延びている方向に対する反対方向）に延びて形成され、孔部２０に挿入されて位置決めされている。
【００４７】
また、付勢部材３２は、本実施の形態では１本の線材で、一体的に構成している。すなわち、線材の略中央を略「コ」の字状に屈曲させてクリック軸３２ｃを形成し、クリック軸３２ｃの両端に連続して巻線処理を施して第１及び第２のコイルバネ部３２ａ及び３２ｂを形成し、第１のコイルバネ部３２ａの他方の端部から外方に延びるように第１の軸３２ｄを形成し、第２のコイルバネ部３２ｂの他方の端部から外方に延びるように第２の軸３２ｅを形成することで、図示のような形状の付勢部材３２が構成されている。このように、蓋体３１を開放方向に付勢する付勢手段と蓋体３１をスライドさせる際に生じさせるクリック感を付与するクリック手段とを１本の線材を加工して構成したことで、付勢手段とクリック手段それぞれ独立して備える構成に比べると部品点数を削減することができ、コストダウンすることができる。なお、本実施の形態では、付勢部材３２は１本の線材で構成されているが、必ずしもこのような構成にする必要はなく、付勢部材３２における各部材を個々に作製した後、一体化する構成でもよい。
【００４８】
以下、動作について説明する。
【００４９】
図５Ａ〜図５Ｃは、蓋体３１の開閉動作を説明するための断面図である。図５Ａは蓋体３１が閉じた状態であり、図１の状態におけるＺ−Ｚ部の断面矢視図である。図５Ｂは蓋体３１を図５Ａの状態からスライドさせた状態であり、図２の状態におけるＺ−Ｚ部（図１参照）の断面矢視図である。図５Ｃは蓋体３１が開いた状態であり、図３の状態におけるＺ−Ｚ部（図１参照）の断面矢視図である。
【００５０】
まず、図１に示すように蓋体３１が閉じた状態では、図５Ａに示すように、蓋体３１のリブ３１ｂが凹部２２に嵌挿されている。これにより、蓋体３１は、開く方向への回動が規制され、閉じた状態を維持することができる。また、クリック軸３２ｃが、第１の傾斜部３２ｆに当接あるいは近接している状態にあり、蓋体３１が矢印Ａ方向へ自由にスライドするのを規制している。
【００５１】
次に、蓋体３１を、図１に示す閉じた状態から図３に示す開いた状態へ移行させる際は、まず、図１及び図５Ａにおいて蓋体３１を矢印Ａ方向へ押圧し、スライドさせる。蓋体３１は、両側面に形成されているガイド孔３１ｃに挿通されているシャフト１８がガイド孔３１ｃ中を移動することによって、底面１１ａに対して略平行方向にスライドされ、図５Ｂに示すように平行移動される。
【００５２】
また、蓋体３１が矢印Ａ方向にスライドする際、クリック軸３２ｃは第１の傾斜部３１ｆを摺動することで、図５Ａの矢印Ｅ方向へ弾性変形する。さらに、蓋体３１を矢印Ａ方向へスライドさせると、クリック軸３２ｃは第１の傾斜部３１ｆを乗り越え、図５Ｂに示すように第２の傾斜部３１ｅに当接した状態になる。前記のように、クリック軸３２ｃが第１の傾斜部３１ｆを摺動し、第１の傾斜部３１ｆと当該第１の傾斜部３１ｆの傾斜方向が対向する第２の傾斜部３１ｅとが形成する第１の突起を乗り越える際に、蓋体３１に付与されている弾性変形が復元されることでクリック感が発生する。なお、図５Ｂに示す状態では、リブ３１ｂと凹部２２との嵌挿状態が外れ、蓋体３１はシャフト１８を中心に回動自在な状態になる。
【００５３】
次に、蓋体３１が図５Ｂに示す状態になると、第１のコイルバネ部３２ａ及び第２のコイルバネ部３２ｂの復元力によって、クリック軸３２ｃが第１の傾斜部３１ｅを矢印Ｂ方向へ押圧し、蓋体３１はシャフト１８を中心に矢印Ｂ方向へ回動される。回動後の状態を、図３及び図５Ｃに示す。図５Ｃに示すように、回動された蓋体３１は、当接部３１ｇが突部２３に当接されることで、回動動作が所定の角度に規制される。
【００５４】
図５Ｃに示す状態では、開口部１４が露出した状態になり、メモリーカードを開口部１４を介してスロットに着脱させることができる。
【００５５】
次に、図３び図５Ｃに示すように蓋体３１が開いた状態から閉じる場合は、図５Ｃにおいて、蓋体３１をシャフト１８を中心に、矢印Ｃ方向へ回動させる。この時、蓋体３１は、第１及び第２のコイルバネ部３２ａ及び３２ｂの弾性力に抗して回動される。
【００５６】
図５Ｂに示す位置まで回動されれば、次に、蓋体３１を矢印Ｄ方向へ押圧する。蓋体３１は、長孔で構成されているガイド孔３１ｃにシャフト１８が挿通されていることにより、矢印Ｄ方向へスライドされる。この時、クリック軸３２ｃは、その先端が第２の傾斜部３１ｅをスライドし、第１及び第２のコイルバネ部３１ａ及び３１ｂの弾性力に抗して撓むことで、蓋体３１に対して負荷を与えている。
【００５７】
蓋体３１を矢印Ｄ方向へスライドさせ、クリック軸３２ｃが第２の傾斜部３１ｅを乗り越えると、図５Ａに示すようにクリック軸は第１の傾斜部３１ｆに当接した状態になる。クリック軸３２ｃが第２の傾斜部３１ｅ及び第１の突起を乗り越えた時、蓋体３１に対してクリック感が発生する。また、この時、リブ３１ｂは凹部２２に嵌合されて、蓋体３１が第１及び第２のコイルバネ部３１ａ及び３１ｂの弾性力によって回動されるのを規制している。
【００５８】
次に、蓋開閉装置の組み立て方法について、簡単に説明する。
【００５９】
図６は、蓋開閉装置の分解斜視図である。図６において蓋開閉装置を組み立てる際は、まず、シャフト１８を本体１１の内側から、片方の孔部２１、蓋体３１の片方のガイド孔３１ｃの順に挿通させる。
【００６０】
次に、ガイド孔３１ｃを挿通したシャフト１８に、付勢部材３２の第１のコイルバネ部３２ａ、第２のコイルバネ部３２ｂを挿通させる。
【００６１】
次に、シャフト１８を、蓋体３１のもう一方のガイド孔３１ｃと、本体１１のもう一方の孔部２１に挿通させることで、組み立てが完了する。
【００６２】
本実施の形態の蓋開閉装置は、蓋体３１を回動付勢する手段と、クリック感を発生させる手段とを、付勢部材３２で実現することができるため、部品点数を削減し、組み立て工数を削減することができる。すなわち、前述の背景技術においては、本実施の形態の組み立て工程に加えて、クリックバネの位置決め孔に位置決めピンを係合させてクリックバネの位置決めを行う工程と、クリックバネをネジ留めする工程と、２個の開閉バネをそれぞれシャフトに挿通させる工程（本実施の形態では、第１及び第２のコイルバネ部３２ａ及び３２ｂは一体化されているため、挿通工程は１回で済む）とが必要になる。
【００６３】
以上のように本実施の形態によれば、蓋体３１の回動付勢を行う機能と、クリック感を発生させる機能とを備える付勢部材３２を備えたことにより、部品点数を削減し、コストダウンすることができる。
【００６４】
また、従来クリックバネをネジで固定していたが、本実施の形態ではネジを廃止することができ、部品点数を削減しコストダウンすることができる。
【００６５】
また、本実施の形態の蓋開閉装置の組み立てにおいて、クリックバネに相当する構成と開閉バネに相当する構成とを、一度に組み立てることができるため、組み立て工数を削減することができる。
【００６６】
また、従来クリックバネをネジで固定するための工程が必要であったが、その工程は本実施の形態では不要になり、組み立てを簡素化できる。
【００６７】
なお、リブ３１ｄにおける第１の傾斜部３１ｆと第２の傾斜部３１ｅそれぞれの傾斜角は、次の構成としてもよい。
【００６８】
第１の傾斜部３１ｆと第２の傾斜部３１ｅとが成す第１の突起において、図５Ａ〜図５Ｃを参照して前述したように、第１の傾斜部３１ｆと第２の傾斜部３１ｅとの傾斜角は同一にしてもよいが、互いに異ならせてもよい。
【００６９】
すなわち、図５において、第１の傾斜部３１ｆの傾斜角をα１、第２の傾斜部３１ｅの傾斜角をβ１とした時、
α１＞β１  ・・・（１）
の関係が成り立つように構成することで、付勢部材３２のクリック軸３２ｃが第１の傾斜部３１ｆに当接している状態（図５Ａ参照）から、蓋体３１が開く方向へスライドされて、クリック軸３２ｃが第２の傾斜部３１ｅの面上を摺動する際、第１の傾斜部３１ｆの方が急斜面で構成されているため、付勢部材３２にかかる負荷は大きい。付勢部材３２にかかる負荷が大きいと、蓋体３１をスライドさせる際の負荷も大きくなり、蓋体３１が容易に開かないように構成することができる。蓋体３１を容易に開かないように構成することで、不用意に蓋体３１が開いて、内部に装着されているメモリーカードやバッテリーなどを誤って落下させてしまうという問題を回避できる。
【００７０】
また、上記（１）式において、第２の傾斜部３１ｅは第１の傾斜部３１ｆに比べると緩斜面で構成しているため、付勢部材３２のクリック軸３２ｃが第２の傾斜部３１ｅに当接している状態（図５Ｂ参照）から、蓋体３１が閉じる方向へスライドされて、クリック軸３２ｃが第１の傾斜部３１ｆの面上を摺動する際、付勢部材３２にかかる負荷は小さい。付勢部材３２にかかる負荷が小さいと、蓋体３１をスライドさせる際の負荷も小さくなり、蓋体３１を容易に閉じることができる。蓋体３１を容易に閉じるように構成することで、操作性を向上させることができる。
【００７１】
なお、リブ３１ｄは、図７に示す構成としてもよい。
【００７２】
図７は、蓋体３１の断面図であり、図４に示す３本のリブ３１ｄの内、中央のリブの中心線で破断した状態の断面図で、図５に対応している。但し、図７では図５におけるクリック軸３２ｃの描画は割愛し、シャフト１８の動作を中心に図示している。すなわち、図７Ａは図５Ａに対応し、蓋体３１が閉じクリック軸３２ｃは第１の傾斜部３１ｆの面を摺動している。図７Ｂは図５Ｂに対応し、蓋体３１を底面１１ａに対し略平行に矢印Ａ方向にスライドさせた状態で、クリック軸３２ｃは第２の傾斜部３１ｅの面を摺動している。図７Ｃは図５Ｃに対応し、シャフト１８を回動軸として蓋体３１を回動させ、蓋体３１が開いた状態で、第１及び第２のコイルバネ３２ａ及び３２ｂの付勢力が開放方向に作用していることで、クリック軸３２ｃは第２の傾斜部３２ｅの面に対し摺動している。これらの動作中におけるシャフト１８がリブ３１ｄの面に当接あるいは近接する面に、図７に示すように、第３の傾斜部３１ｎと第４の傾斜部３１ｍとを形成してもよい。
【００７３】
第３の傾斜部３１ｎは、図７Ａに示すように蓋体３１が閉じた状態の時に、シャフト１８が当接あるいは近接する部分である。また、第４の傾斜部３１ｍは、図７Ｂに示すように蓋体３１が開いた状態の時に、シャフト１８が当接あるいは近接する部分である。また、第３の傾斜部３１ｎと第４の傾斜部３１ｍとは傾斜方向が対向しているため、第３の傾斜部３１ｎと第４の傾斜部３１ｍとが交叉する界面は、ガイド孔３１ｃの長手方向の中心線に一致する位置ではなく、蓋体３１が閉じた状態（すなわち、図７Ａの状態）における開口部１４を備える第１の傾斜部３１ｆ側に偏った位置に当該中心線から突出し、第２の突起部を形成している。
【００７４】
このような構成において、蓋体３１が図７Ａの状態から図７Ｂの状態へ相互にスライドする際に、シャフト１８が第３及び第４の傾斜部３１ｎ及び３１ｍ上を摺動する。第３及び第４の傾斜部３１ｎ及び３１ｍの界面である第２の突起部が最も高くなっているので、界面近傍をシャフト１８が通過する際、シャフト１８に対して負荷を与えている。シャフト１８の径は、クリック軸３２ｃの径に比べると太いため、クリック軸３２よりも剛性が高い。従って、シャフト１８に負荷が与えられることにより、蓋体３１のスライドに際してガタツキを低減させることができると共に、シャフト１８に付与された負荷に起因する弾性変形を復元する復元力により、第２の突起部を越える蓋体３１の何れか一方方向へのスライドを確実に終えることができる。
【００７５】
なお、第３の傾斜部３１ｎの傾斜角をα２、第４の傾斜部３１ｍの傾斜角をβ２とした時、
α２≦β２  ・・・（２）
の関係が成り立つように構成すると、蓋体３１のスライド動作において、図７Ｂから図７Ａへの閉口動作は容易に行え、図７Ａから図７Ｂへの開口動作は動作し難いスライド機構を、図５Ａ〜図５Ｃを参照したクリック軸３２ｃと第１の突起部とによるスライド機構をより確実に成し得、不用意に蓋体３１を開口しするという不慮の自己を抑制することができる。
【００７６】
なお、図７Ｃの状態におけるシャフト１８は、第４の傾斜部３１ｍに対し当接または近傍に存在し、シャフト１８を回動中心として蓋体３１を当接部３１ｇと突部２３とが当接することで、所定の角度に規制された開口状態を実現する。
【産業上の利用可能性】
【００７７】
本発明の蓋開閉装置は、ビデオカメラなどの撮像装置における、バッテリーや情報媒体などを装着するためのスロットにおける蓋機構のみならず、様々な蓋機構に有用である。また、蓋開閉装置を搭載可能な機器は、撮像装置に限らず、様々な機器に搭載可能である。
【図面の簡単な説明】
【００７８】
【図１】本発明の実施の形態における蓋開閉装置を備えた撮像装置の外観を示す斜視図
【図２】本発明の実施の形態における蓋開閉装置を備えた撮像装置の外観を示す斜視図
【図３】本発明の実施の形態における蓋開閉装置を備えた撮像装置の外観を示す斜視図
【図４】実施の形態における蓋開閉装置の要部斜視図
【図５Ａ】実施の形態における蓋開閉装置の開閉動作を示す断面図
【図５Ｂ】実施の形態における蓋開閉装置の開閉動作を示す断面図
【図５Ｃ】実施の形態における蓋開閉装置の開閉動作を示す断面図
【図６】実施の形態における蓋開閉装置の分解斜視図
【図７Ａ】実施の形態における蓋開閉装置の開閉動作を示す断面図
【図７Ｂ】実施の形態における蓋開閉装置の開閉動作を示す断面図
【図７Ｃ】実施の形態における蓋開閉装置の開閉動作を示す断面図
【図８】従来の蓋開閉装置を備えた撮像装置の構成を示す斜視図
【図９】従来の蓋開閉装置を備えた撮像装置の構成を示す斜視図
【図１０】従来の蓋開閉装置を備えた撮像装置の構成を示す斜視図
【図１１】従来の蓋開閉装置の構成を示す要部斜視図
【図１２Ａ】従来の蓋開閉装置の開閉動作を示す断面図
【図１２Ｂ】従来の蓋開閉装置の開閉動作を示す断面図
【図１２Ｃ】従来の蓋開閉装置の開閉動作を示す断面図
【図１３】従来の蓋開閉装置の構成を示す分解斜視図
【符号の説明】
【００７９】
１１  本体
１２  レンズ部
１４  開口部
１８  シャフト
２０  孔部
２１  ガイド孔
２２  凹部
３１  蓋体
３１ａ  操作部
３１ｂ  リブ
３１ｃ  ガイド孔
３１ｄ  リブ
３１ｅ  第２の傾斜部
３１ｆ  第１の傾斜部
３１ｍ  第４の傾斜部
３１ｎ  第３の傾斜部
３２  付勢部材
３２ａ  第１のコイルバネ部
３２ｂ  第２のコイルバネ部
３２ｃ  クリック軸
３２ｄ  第１の軸
３２ｅ  第２の軸
【図１】
2007173473.tif 000003
【図２】
2007173473.tif 000004
【図３】
2007173473.tif 000005
【図４】
2007173473.tif 000006
【図５Ａ】
2007173473.tif 000007
【図５Ｂ】
2007173473.tif 000008
【図５Ｃ】
2007173473.tif 000009
【図６】
2007173473.tif 000010
【図７Ａ】
2007173473.tif 000011
【図７Ｂ】
2007173473.tif 000012
【図７Ｃ】
2007173473.tif 000013
【図８】
2007173473.tif 000014
【図９】
2007173473.tif 000015
【図１０】
2007173473.tif 000016
【図１１】
2007173473.tif 000017
【図１２Ａ】
2007173473.tif 000018
【図１２Ｂ】
2007173473.tif 000019
【図１２Ｃ】
2007173473.tif 000020
【図１３】
2007173473.tif 000021